(57)【要約】【課題】比較的簡易な構成で、高い熱効率を維持しながらも、燃焼排気により、その周囲のお客が熱さを感じることを防止できると共に、お客を熱から保護できる加熱調理装置を提供する。【解決手段】平面視において調理板１３の外周部位のうち少なくとも一部を除いた部位で上方へ向けて開口される排気口１８から、燃焼排気ＥＡを排出可能な排気排出路２１を備え、当該排気排出路２１の上方には、当該排気口１８から排出された燃焼排気ＥＡを、前記調理板１３の調理面１３ａに沿って誘導する排気誘導部２２が設けられている。【選択図】図１
2014171534.tif 000002
【特許請求の範囲】
【請求項１】
吸込口から吸入した燃焼用空気と燃料ガスとの混合気を燃焼させて燃焼火炎を形成する燃焼器と、
当該燃焼器の上方で前記燃焼火炎及びその燃焼排気により加熱される調理板とを備えた加熱調理装置であって、
平面視において前記調理板の外周部位のうち少なくとも一部を除いた部位で上方へ向けて開口される排気口から、前記燃焼排気を排出可能な排気排出路を備え、
当該排気排出路の上方には、当該排気口から排出された前記燃焼排気を、前記調理板の調理面に沿って誘導する排気誘導部が設けられている加熱調理装置。
【請求項２】
前記排気誘導部は、前記排気口の上方を覆う排気カバーである請求項１に記載の加熱調理装置。
【請求項３】
前記排気排出路は、前記調理板に近接する近接側に設けられ前記燃焼排気を流通させる燃焼排気流路部位と、前記調理板から離間した離間側に設けられ装置外部から導入される外気を流通させる外気流路部位とから構成されている請求項１又は２に記載の加熱調理装置。
【請求項４】
前記排気排出路は、前記調理板の近接側に設けられる前記燃焼排気流路部位と前記調理板の離間側に設けられる前記外気流路部位とを仕切る仕切板を有している請求項３の加熱調理装置。
【請求項５】
前記外気流路部位は、前記調理板の外周縁から下方側へ延びる側壁に形成される外気取入口と、前記排気口とを連通して形成される請求項３又は４に記載の加熱調理装置。
【請求項６】
前記仕切板は、前記燃焼排気の流通方向で下流側端部に、前記調理板の調理面に沿う方向へ屈曲する屈曲部位を有する請求項４に記載の加熱調理装置。
【請求項７】
前記吸込口の前記燃焼用空気を吸い込む吸込方向が、前記調理板の調理面の外周部位のうち前記排気口が設けられていない部位の側である請求項１〜６の何れか一項に記載の加熱調理装置。
【発明の詳細な説明】
【技術分野】
【０００１】
本発明は、吸込口から吸入した燃焼用空気と燃料ガスとの混合気を燃焼させて燃焼火炎を形成する燃焼器と、当該燃焼器の上方で前記燃焼火炎及びその燃焼排気により加熱される調理板とを備えた加熱調理装置に関する。
【背景技術】
【０００２】
従来、特許文献１の図３等に示されるように、テーブル（カウンター）の下方に燃焼用空気と燃料ガスとを燃焼して燃焼火炎を形成する熱源機（本願の燃焼器に相当）と、テーブルの上面に熱源機により加熱される調理板とを備えた加熱調理装置が知られている。当該加熱調理装置は、それを挟んで一方側に、調理人が存在すると共に他方側にお客が座る形態で、鉄板焼き屋等で利用される。
【０００３】
当該加熱調理装置の具体的な構成を示すものとしては、テーブル（カウンター）の下方に燃焼用空気と燃料ガスとの混合気を燃焼して燃焼火炎を形成する熱源機と、テーブルの上面に熱源機により加熱される調理板とを備えたものにおいて、その熱源機の下方に設けられる排気ダクトと、当該排気ダクトを介して熱源機の燃焼排ガスを吸入して外部へ送り出す排気ファンとを備えたものが知られている（特許文献２を参照）。
特許文献２に開示の技術によれば、熱源機からの燃焼排ガスは、排気ダクトを介して下方側へ導かれるため、当該加熱調理装置の調理板の周囲のお客の側へ、燃焼排ガスが導かれることが防止される。
【０００４】
また、加熱調理装置の他の例としては、特許文献３に開示の技術のように、テーブル（カウンター）の下方に燃焼用空気と燃料ガスとを燃焼して燃焼火炎を形成する熱源機と、テーブルの上面に熱源機により加熱される調理板とを備えたものにおいて、調理板の側部に沿って上方へ開口する排気口が形成されたものが知られている。
当該特許文献３に開示の技術では、調理板の下方の熱源機の燃焼排ガスが、上記排気口から調理板の上方へ排出される。
【先行技術文献】
【特許文献】
【０００５】
【特許文献１】特開２０１０−００７３９０号公報
【特許文献２】特開２０１１−２４００７４号公報
【特許文献３】特許３７４４８７４号公報
【発明の開示】
【発明が解決しようとする課題】
【０００６】
上記特許文献２に開示の技術では、熱源機の燃焼排ガスは、その下方に形成される排気ダクトを介して加熱調理装置の外部（例えば、加熱調理装置が設けられる店内等の外部空間）へ導かれるため、加熱調理装置の周囲のお客は、当該燃焼排ガスにより、熱さを感じる虞がない。
しかしながら、熱源機の燃焼排ガスが、熱源機の下方の排気ダクトへ吸入されるため、熱源機にて発生する熱のうち一部が、排気ダクトから逃げることになる。このため、熱効率が悪くなると共に、調理板が調理温度（例えば、２３０℃以上の温度）まで昇温するのに時間がかかる等の問題があった。
また、加熱調理装置の下方に、排気ダクトや排気ファンを設ける必要があり、装置が大型化するという問題があった。
【０００７】
一方、特許文献３に開示の技術では、調理板の側部に沿って上方に向けて開口する排気口から、熱源機の燃焼排ガスが排出されるため、当該排気口から周囲に広がる排ガスにより、お客が熱さを感じる虞があった。
【０００８】
本発明は、上述の課題に鑑みてなされたものであり、その目的は、比較的簡易な構成で、高い熱効率を維持しながらも、燃焼排気により、その周囲のお客が熱さを感じる虞のない加熱調理装置を提供する点にある。
【課題を解決するための手段】
【０００９】
上記目的を達成するための加熱調理装置は、
吸込口から吸入した燃焼用空気と燃料ガスとの混合気を燃焼させて燃焼火炎を形成する燃焼器と、
当該燃焼器の上方で前記燃焼火炎及びその燃焼排気により加熱される調理板とを備えた加熱調理装置であって、その特徴構成は、
平面視において前記調理板の外周部位のうち少なくとも一部を除いた部位で上方へ向けて開口される排気口から、前記燃焼排気を排出可能な排気排出路を備え、
当該排気排出路の上方には、当該排気口から排出された前記燃焼排気を、前記調理板の調理面に沿って誘導する排気誘導部が設けられている点にある。
【００１０】
上記特徴構成によれば、燃焼排気は、調理板の外周部位で上方へ向けて形成された排気口から排出され、調理板の調理面に沿って排出されるから、調理板を、当該燃焼排気の有する熱によっても加熱することができ、熱効率を向上できる。これにより、例えば、調理板を調理温度まで昇温させる時間を短縮できる。
更に、燃焼排気を排出する排気排出路の上方には、排気口から排出された燃焼排気を、調理板の外周部位から調理板の調理面に沿って誘導する排気誘導部が設けられているから、燃焼排気が調理板から外側へ拡散することを防止できる。これにより、当該燃焼排気で、調理板の周囲のお客に熱さを感じさせることを防止し、お客を熱から保護することができる。
尚、本願の加熱調理装置では、平面視において調理板の外周部位のうち少なくとも一部の部位に排気口を設けない構成を採用しているため、調理人は、この部位を介して、調理板にて調理を行うことができる。
【００１１】
本発明の加熱調理装置の更なる特徴構成は、
前記排気誘導部は、前記排気口の上方を覆う排気カバーである点にある。
【００１２】
上記特徴構成によれば、排気誘導部を排気口の上方を覆う排気カバーとして構成しているから、比較的簡易な構成により、燃焼排気を、調理板の調理面に沿って導くことができる。
【００１３】
本発明の加熱調理装置の更なる特徴構成は、
前記排気排出路は、前記調理板に近接する近接側に設けられ前記燃焼排気を流通させる燃焼排気流路部位と、前記調理板から離間した離間側に設けられ装置外部から導入される外気を流通させる外気流路部位とから構成されている点にある。
【００１４】
上記特徴構成によれば、排気排出路を、調理板に近接する近接側に設けられ燃焼排気を流通させる燃焼排気流路部位と、調理板から離間する離間側に設けられ装置外部から導入される外気を流通させる外気流路部位とから構成しているから、排気口から排出された比較的高温の燃焼排気に、外気を混合して、燃焼排気の温度を低下できる。これにより、燃焼排気により、お客が火傷等することを防止できる。
また、調理板の近傍側に比較的高温の燃焼排気流路部位を形成して、調理板の昇温・保温効果を発揮させ、熱効率を向上できると共に、調理板の離間側に比較的低温の外気流路部位を形成して、当該比較的低温の外気により、排気誘導部（排気カバー）を効果的に冷却できる。これにより、お客が排気誘導部（排気カバー）に触れることを許容できる。
【００１５】
本発明の加熱調理装置の更なる特徴構成は、
前記排気排出路は、前記調理板の近接側に設けられる前記燃焼排気流路部位と前記調理板の離間側に設けられる前記外気流路部位とを仕切る仕切板を有している点にある。
【００１６】
上記特徴構成によれば、排気排出路を仕切板で仕切るという比較的簡易な構成により、排気排出路の内部に、燃焼排気流路部位と、外気流路部位とを形成することができる。
【００１７】
本発明の加熱調理装置の更なる特徴構成は、
前記外気流路部位は、前記調理板の外周縁から下方側へ延びる側壁に形成される外気取入口と、前記排気口とを連通して形成される点にある。
【００１８】
上記特徴構成によれば、外気流路部位は、調理板の外周縁から下方側へ延びる側壁に形成される外気取入口と、調理板の上面近傍の排気口とを、連通接続する状態で設けられているから、比較的低温の外気取入口と比較的高温の排気口との間で、ドラフト効果を生じさせ、当該ドラフト効果により、外気を外気取入口から取入れ排気口から排出させることができる。これにより、外気を送り込むファン等備えない簡素な構成を維持しながらも、外気による冷却を実現できる。
【００１９】
本発明の加熱調理装置の更なる特徴構成は、
前記仕切板は、前記燃焼排気の流通方向で下流側端部に、前記調理板の調理面に沿う方向へ屈曲する屈曲部位を有する点にある。
【００２０】
上記特徴構成によれば、仕切部が、側面側断面視及び正面側断面視において、燃焼排気の流通方向で下流側端部に、調理板の調理面に沿う方向へ屈曲する屈曲部位を有するから、外気及び燃焼排気が、当該屈曲部位に沿って流通することにより、適切に調理板の調理面に沿って導かれることとなる。結果、燃焼排気がお客の側へ拡散することを抑制でき、当該燃焼排気により、お客が熱さを感じることを防止できると共に、お客を熱から保護できる。
【００２１】
本発明の加熱調理装置の更なる特徴構成は、
前記吸込口の前記燃焼用空気を吸い込む吸込方向が、前記調理板の調理面の外周部位のうち前記排気口が設けられていない部位の側である点にある。
【００２２】
上記特徴構成によれば、吸込口の燃焼用空気を吸い込む吸込方向を、調理板の調理面の外周部位のうち排気口が設けられていない部位の側、即ち、調理人が調理する側としているから、燃焼用空気の流れにお客を晒すことを避けることができる。
【図面の簡単な説明】
【００２３】
【図１】加熱調理装置の斜視図
【図２】加熱調理装置の側方視一部断面図
【図３】加熱調理装置の正面視一部断面図
【図４】排気排出路から排出される燃焼排気及び外気の流れを示す図
【図５】外気流路部位を設ける場合と設けない場合とでの温度変化を示す図
【発明を実施するための形態】
【００２４】
本発明の加熱調理装置１００は、比較的簡易な構成で、高い熱効率を維持しながらも、燃焼排気ＥＡにより、その周囲のお客が熱さを感じることを防止できると共に、お客を熱から保護することができるものに関する。
【００２５】
加熱調理装置１００は、図１に示すように、吸込口１１から吸入した燃焼用空気ＯＡと燃料ガスとの混合気を燃焼させて燃焼火炎を形成するガスバーナ１２（燃焼器の一例）と、当該ガスバーナ１２の上方で燃焼火炎及びその燃焼排気ＥＡにより加熱される調理板１３とを備えている。
以下、加熱調理装置１００の正面側を矢印Ｘの矢示基端側とし、加熱調理装置１００の側面側を矢印Ｙの矢示先端側及び矢示基端側とし、加熱調理装置１００の背面側を矢印Ｘの矢示先端側とする。
本願の加熱調理装置１００では、正面側に調理人が位置すると共に、背面側及び側面側にお客が位置するものとする。
【００２６】
当該ガスバーナ１２の燃焼火炎及び燃焼排気ＥＡにより加熱される調理板１３は、図１に示すように、側方に長手方向を有する平面状の調理面１３ａを有し、その表面で正面側（図１で、矢印Ｘの矢示基端側）には、調理ゴミを、調理板１３の下方に設けられるゴミ受け２０ａに落とすことができる落とし孔２０が形成されている。また、調理板１３のガスバーナ１２の燃焼火炎に対向する下面部位には、ミーリング加工により、凹凸状に形成された凹凸形状部１７が設けられている。当該凹凸形状部１７により、調理板１３の他の下面に比べて表面積が大きくなるため、燃焼火炎の輻射熱をこの部位に留めて、熱効率の向上を図っている。因みに、当該凹凸形状部１７の例としては、調理板１３の正面側から背面側（図１、２、３で矢印Ｘの矢示方向）に延びる複数の溝が挙げられる。
【００２７】
調理板１３の下方空間は、調理板１３の外周部位から下方側へ延びる隔壁１４により、外部空間と区切られており、当該下方空間にガスバーナ１２が配設されている。
ガスバーナ１２は、図１、２に示すように、調理板１３の下方空間で燃焼用空気ＯＡと、加熱調理装置１００の手前側（図１、２で矢印Ｘの矢示基端側）の正面隔壁１４ａに沿って配設されるガス管１５から供給される燃料ガスとを混合する混合部１６を有するブンゼンバーナであり、ガス管１５には、供給される燃料ガスの流量を調整可能なガスコック１９が設けられている。
【００２８】
隔壁１４は、図１、２、３に示すように、正面隔壁１４ａと、当該正面隔壁１４ａに対向する側（図１、２で矢印Ｘの矢示先端側）に設けられる背面隔壁１４ｂと、加熱調理装置１００の長手方向の側面側（図１、３で矢印Ｙの矢示先端側及び矢示基端側）に設けられる側面隔壁１４ｃから構成されている。
正面隔壁１４ａには、装置外部の燃焼用空気ＯＡを、調理板１３の下方空間へ吸入可能な複数の吸込口１１が形成されており、ガスバーナ１２を作動させる場合、燃焼用空気ＯＡが、当該吸込口１１を介して、加熱調理装置１００の正面側から調理板１３の下方空間へ燃焼用空気ＯＡが取り込まれる。
【００２９】
本発明の加熱調理装置１００では、上述したガスバーナ１２の燃焼排気ＥＡを下方側へ吸入する排気ダクトや排気ファン等を設けない簡易な構成を採用すると共に、その燃焼排気ＥＡにより調理板１３を加熱して熱効率の向上を図りながらも、燃焼排気ＥＡにより、お客が熱さを感じることのないよう、以下の構成を有する。
【００３０】
調理板１３には、図１、２、３に示すように、調理面１３ａの外周部位のうち、加熱調理装置１００の正面側（図１、２で矢印Ｘの矢示基端側）を除く部位に、上方（図１、２、３で矢印Ｚの矢示方向）に向けて開口される排気口１８から、ガスバーナ１２の燃焼排気ＥＡを排出可能な排気排出路２１を備えている。
当該排気排出路２１には、その流路を、調理板１３に近接する近接側に燃焼排気ＥＡを流通させる燃焼排気流路部位２１ａと、調理板１３から離間した離間側に装置外部の外部領域から導入される外気ＦＡを流通させる外気流路部位２１ｂとに仕切る仕切板２１ｃが設けられている。
外気流路部位２１ｂは、図２、３に示すように、仕切板２１ｃと背面隔壁１４ｂとの間（図２に図示）、及び仕切板２１ｃと側面隔壁１４ｃとの間（図３に図示）に形成され、背面隔壁１４ｂ及び側面隔壁１４ｃに、水平方向（調理面１３ａに沿う方向）でスリット状に形成された外気取入口２３と排気口１８とを連通接続する。
背面隔壁１４に設けられる外気取入口２３につき説明を追加すると、背面隔壁１４ｂは、図２に示すように、側面側断面視において、その下方側が凹欠した形状をしており、背面隔壁１４ｂに設けられる外気取入口２３は、当該背面隔壁１４ｂの凹欠した部位に、鉛直方向下方側（図２で矢印Ｚの矢示基端側）へ向けて開口している。
【００３１】
上記構成により、加熱調理装置１００の使用中（ガスバーナ１２を作動中）においては、外気取入口２３の側が比較的低温に維持されると共に、排気口１８の側が比較的高温となる。これにより、外気取入口２３と排気口１８との間でドラフト効果を生じさせ、当該ドラフト効果により、装置外部の比較的低温の外気ＦＡが、外気取入口２３から取り込まれ、排気口１８から送り出されることになる。
即ち、当該構成を採用することにより、外気ＦＡを通流させるファン等を設けることのない比較的簡易な構成を採用しながらも、排気口１８から排出される比較的高温の燃焼排気ＥＡを、比較的低温の外気ＦＡにより降温させることができ、これにより、お客が熱さを感じることを防止できる。
【００３２】
尚、仕切板２１ｃは、図２、３に示すように、側面側断面視（図２に示す断面視）、正面側断面視（図３に示す断面視）において、燃焼排気ＥＡの流通方向で下流側端部に、調理板１３の調理面１３ａに沿う方向へ屈曲する屈曲部位２１ｄを備えている。当該屈曲部位２１ｄにより、燃焼排気ＥＡ及び外気ＦＡを調理板１３の調理面１３ａに沿って導き、当該燃焼排気ＥＡが、水平方向で、加熱調理装置１００の外側へ拡散することを抑制している。
【００３３】
更に、排気排出路２１の上方には、排気口１８から排出され燃焼排気ＥＡ（外気ＦＡを含む）を、調理板１３の調理面１３ａに沿う方向へ誘導する排気カバー２２（排気誘導部の一例）が設けられている。当該排気カバー２２によっても、燃焼排気ＥＡ及び外気ＦＡが、水平方向で、加熱調理装置１００の外側へ拡散することを抑制している。
尚、図２、３に示すように、排気カバー２２の内面側（図２、３で調理板１３の側）は、外気流路部位２１が形成されることとなる。これにより、排気カバー２２は、外気流路部位２１を流通する比較的低温の外気ＦＡに晒され、その昇温が抑制される。
【００３４】
図４に、排気排出路２１から排出される燃焼排気ＥＡ及び外気ＦＡの流れの拡大図を示す。当該図４に示されるように、本願の構成によれば、排気排出路２１から排出された燃焼排気ＥＡ及び外気ＦＡは、調理板１３の調理面１３ａに沿って、調理面１３ａの中央側へ導かれる。
これにより、お客は、排気カバー２２の上面を介して、調理板１３の調理面１３ａ上で調理されている料理を、比較的高温の燃焼排気ＥＡに、ほとんど晒されることなく取ることができる。また、例え、お客が燃焼排気ＥＡに晒されることがあったとしても、その燃焼排気ＥＡは比較的低温の外気ＦＡとの混合により降温しているため、お客を熱から保護できる。
【００３５】
上述したように、本発明の加熱調理装置１００にあっては、図２、３に示すように、排気排出路２１において、比較的高温の燃焼排気ＥＡを通流する燃焼排気流路部位２１ａを、調理板１３に近接する近接側に配設すると共に、比較的低温の外気ＦＡを通流する外気流路部位２１ｂを、調理板１３から離間する離間側に配設している。
当該構成を採用することにより、上述した排気カバー２２は、比較的低温の外気ＦＡが接触すると共に、比較的高温の燃焼排気ＥＡは接触しない状態を実現できるため、排気カバー２２の昇温を抑制できる。
図５に、本発明の加熱調理装置１００を使用した時（ガスバーナ１２を作動して６０分後）に、その平面視で、外気流路部位２１ｂを設けない場合の排気カバー２２の温度（図５で、矢印前の温度）と、外気流路部位２１ｂを設けた場合の排気カバー２２の温度（図５で、矢印後の温度）とを示す。
図５に示す温度分布からわかるように、外気流路部位２１ｂを設けた場合には、排気カバー２２のどの部位においても温度が低下していることがわかる。
尚、調理板１３に示される数字は、その部位での温度を示すのである。本願にあっては、調理板１３の下面で、ガスバーナ１２の上方に、ミーリング加工による凹凸形状部１７を設けている。図５に示す温度分布から、当該凹凸形状部１７により、ガスバーナ１２の燃焼火炎及び燃焼排気ＥＡによる熱により、調理板１３の中央部位を積極的に加熱できていることがわかる。
【００３６】
〔別実施形態〕
（１）上記実施形態においては、排気排出路２１は、調理板１３の背面側及び側面側の双方に設けられる構成を示したが、何れか一方に設けられる構成にしても構わない。この場合、排気カバー２２は、当然に排気排出路２１が設けられている部位に対応させて設けられる。
【００３７】
（２）上記実施形態では、外気ＦＡは、ドラフト効果により、外気流路部位２１ｂを通流するため、ファン等を設けない構成としたが、別に、ファン等で積極的に外気ＦＡを流通させる構成を採用しても構わない。
【００３８】
（３）上記実施形態では、燃焼用空気ＯＡを吸い込む吸込口１１は、正面側壁１４ａに設けられる例を示したが、例えば、ガスバーナ１２の下方側等から吸われる構成を採用しても構わない。
【産業上の利用可能性】
【００３９】
本発明の加熱調理装置は、比較的簡易な構成で、高い熱効率を維持しながらも、燃焼排気により、その周囲のお客が熱さを感じることを防止できると共に、お客を熱から保護できる加熱調理装置として、有効に利用可能である。
【符号の説明】
【００４０】
１１      ：吸込口
１２      ：ガスバーナ
１３      ：調理板
１３ａ    ：調理面
１４      ：隔壁
１８      ：排気口
２１      ：排気排出路
２１ａ    ：燃焼排気流路部位
２１ｂ    ：外気流路部位
２１ｃ    ：仕切板
２１ｄ    ：屈曲部位
２２      ：排気カバー
２３      ：外気取入口
１００    ：加熱調理装置
ＥＡ      ：燃焼排気
ＦＡ      ：外気
ＯＡ      ：燃焼用空気
【図１】
2014171534.tif 000003
【図２】
2014171534.tif 000004
【図３】
2014171534.tif 000005
【図４】
2014171534.tif 000006
【図５】
2014171534.tif 000007